(57)【要約】【課題】簡単な構造で、縦樋の中を流下する雨水を濾過してゴミや落ち葉等を取り除き、濾過状態を目で確認しながら濾過水を取り出すことのできる雨水取水装置を提供する。【解決手段】縦樋７１、７２に介装される接続筒部１と、該接続筒部１と連通して一体的に並設される雨水取出し筒部２と、該雨水取出し筒部２の上部開口部に着脱自在に施蓋される蓋体３とからなる雨水取水装置Ａであって、上記雨水取出し筒部２にはフィルター体５が収納され、上記雨水取出し筒部２の下方には上記蓋体３を着脱自在に保持する保持部４２が設けられた雨水取水装置Ａ。【選択図】図１
2009102930.tif 000002
【特許請求の範囲】
【請求項１】
縦樋に介装される接続筒部と、該接続筒部と連通して一体的に並設される雨水取出し筒部と、該雨水取出し筒部の上部開口部に着脱自在に施蓋される蓋体とからなる雨水取水装置であって、上記雨水取出し筒部にはフィルター体が収納され、上記雨水取出し筒部の下方には上記蓋体を着脱自在に保持する保持部が設けられた雨水取水装置。
【請求項２】
上記接続筒部と雨水取出し筒部とは起立接続部で接続され、該起立接続部の上方に形成されたオーバーフロー口を介して連通し、一体化された請求項１に記載の雨水取水装置。
【請求項３】
上記蓋体は底面板と、その外周に沿って立設されるリブとからなり、該リブは蓋体の前部側が先細になるよう形成配設され、上記蓋体の後部側を形成するリブには係合爪部が付設された請求項１に記載の雨水取水装置。
【請求項４】
上記底面板の外周に沿って立設され、上記蓋体の前部側を先細に形成配設されたリブの先端部には切欠部が設けられた請求項３に記載の雨水取水装置。
【発明の詳細な説明】
【技術分野】
【０００１】
本願発明は、雨水取水装置に係り、さらに詳しくは、縦樋に介装され、縦樋内を流下する雨水を途中で取り出す雨水取水装置に関するものである。
【背景技術】
【０００２】
近年、生活水準の向上に伴って水に対する需要が高まっている。一方、水資源も他の天然資源と同様に、その枯渇が社会問題となりつつあり、生活排水を簡易浄水して再利用する中水道の普及や、雨水の再利用の重要性が増している。そこで、大規模な建物を新築する際には、今まで排水溝に直接排出されていた雨水を大容量の地下タンクに蓄えておき、この雨水をトイレ用、冷暖房用、掃除用等に再利用する試みがなされている。
【０００３】
一方、一般家庭においても、大都市部や気候変動などによる渇水が問題となっている近年、雨水の再利用について種々の提案がされており、その中で、屋根に降った雨水を雨水貯留槽に貯水し、ガーデニングのための散水や洗車などに使用することが行われている。
【０００４】
例えば下記特許文献１には、本願図５に示すように、上下に縦樋と接続する上筒部１ａと下筒部２ａとからなる本体Ｂを有し、該本体Ｂの側方に雨水を取り出すための開口部３ａを設け、該開口部３ａに側方に開閉可能となり、本体部分に回動自在に可動な取水板４ａを装着してなる雨水取水継手が開示されている。
【０００５】
上記雨水取水継手は図外縦樋の中間に取付けられ、通常は縦樋の側面の一部をなす取水板４ａを開閉自在に設置し、この取水板４ａを開くことにより縦樋を流下する雨水を取水板４ａに当てて側方に導いて取り出すことができるというものである。またこのように手動で開閉して取り出す方式であるため、使用しないときには取水板４ａを閉じて通常の縦樋構造とし、降雨時には、任意の時間に必要量だけ取り出して利用することができると述べられている。
【０００６】
そして、雨水の取り出しが極めて容易に行えるものであり、設置場所もとらずに装置も安価で、簡単に取り出した雨水は庭の植裁への水やりや散水、車の洗浄等に簡単に利用できるため、貴重な水資源の節約にもつながるとの効果が記載されている。
【特許文献１】特開平１０−３０６５６１号公報（第１〜３頁、第１図、第２図）
【発明の開示】
【発明が解決しようとする課題】
【０００７】
上記特許文献１に記載の雨水取水継手は構造が簡単で、容易に雨水を取り出せるという利点はあるが、縦樋の中を流下する雨水に混じって含まれるゴミや落ち葉等の夾雑物も共に貯水され、上記した用途に利用の際、例えば、散水用ノズルの目が詰まる等の不都合が生じるおそれがある。本願発明は、上記背景技術に鑑みてなしたものであり、簡単な構造で、縦樋の中を流下する雨水を濾過してゴミや落ち葉等を取り除くとともに、濾過状態を目で確認しながら濾過水を取り出すことのできる雨水取水装置を提供することである。
【課題を解決するための手段】
【０００８】
上記課題を解決するために、本願請求項１記載の発明にかかる雨水取水装置は、縦樋に介装される接続筒部と、該接続筒部と連通して一体的に並設される雨水取出し筒部と、該雨水取出し筒部の上部開口部に着脱自在に施蓋される蓋体とからなる雨水取水装置であって、上記雨水取出し筒部にはフィルター体が収納され、上記雨水取出し筒部の下方には上記蓋体を着脱自在に保持する保持部が設けられたことを特徴としている。
【０００９】
本願請求項２記載の発明は、上記請求項１に記載の雨水取水装置において、上記接続筒部と雨水取出し筒部とは起立接続部で接続され、該起立接続部の上方に形成されたオーバーフロー口を介して連通し、一体化されたことを特徴としている。
【００１０】
本願請求項３記載の発明は、上記請求項１に記載の雨水取水装置において、蓋体は底面板と、その外周に沿って立設されるリブとからなり、該リブは蓋体の前部側が先細になるよう形成配設され、上記蓋体の後部側を形成するリブには係合爪部が付設されたことを特徴としている。
【００１１】
本願請求項４記載の発明は、上記請求項３に記載の雨水取水装置において、上記底面板の外周に沿って立設され、上記蓋体の前部側を先細に形成配設されたリブの先端部には切欠部が設けられたことを特徴としている。
【発明の効果】
【００１２】
本願請求項１に記載の発明にかかる雨水取水装置は上記のとおりであり、縦樋に介装される接続筒部と、この接続筒部と連通して一体的に並設される雨水取出し筒部と、フィルター体が収納された上記雨水取出し筒部の上部開口部に着脱自在に施蓋される蓋体とからなり、上記雨水取出し筒部の下方には上記蓋体を着脱自在に保持する保持部が設けられているため、この蓋体を取り外して上記保持部で保持することにより、上記蓋体を受水部として利用することも可能であり、濾過水中のゴミや落ち葉等の夾雑物の有無を目で確認し、清浄度を点検することができる。
【００１３】
本願請求項２に記載の発明にかかる雨水取水装置においては、特に、上記接続筒部と雨水取出し筒部とは起立接続部で接続され、該起立接続部の上方に形成されたオーバーフロー口を介して連通し、一体化されているため、縦樋から流下する雨水の一部を効率的に集水し、起立接続部をオーバーフローした雨水を効率的にフィルター体に浸透させ、濾過することができる。
【００１４】
本願請求項３に記載の発明にかかる雨水取水装置においては、特に、蓋体は底面板と、その外周に沿って立設されるリブとからなり、該リブは蓋体の前部側が先細になるよう形成配設され、上記蓋体の後部側を形成するリブには係合爪部が付設されているため、この係合爪部を上記保持部に係合させることにより、簡単に蓋体を受水部としても利用することができる。
【００１５】
請求項４に記載の発明にかかる雨水取水装置においては、特に、上記底面板の外周に沿って立設され、上記蓋体の前部側を先細に形成配設されたリブの先端部には切欠部が設けられているため、上記蓋体を受水部として利用し、濾過水を目で確認した後この切欠部から取水することができる。
【発明を実施するための最良の形態】
【００１６】
以下、本願発明にかかる雨水取水装置の実施形態について図面を参照して詳細に説明する。図１は、上記雨水取水装置Ａを示す分解斜視図である。図１に示すように、上記雨水取水装置Ａは、図外縦樋に介装される接続筒部１と、この接続筒部１と連通して一体的に並設される雨水取出し筒部２と、上記雨水取出し筒部２の上部開口部に着脱自在に施蓋される蓋体３とからなり、雨水取出し筒部２内には、フィルター体５が収納されている。
【００１７】
蓋体３は底面板３３と、その外周に沿って立設されるリブ３４とからなり、リブ３４は蓋体３の前部側が先細になるよう形成配設され、蓋体３の後部には係合爪部３１が付設されている。具体的には、蓋体の後部側を形成するリブ３４には係合爪部３１が付設されている。また、リブ３４の先細の前部には切欠部３２が設けられるとともに、蓋体３の底面板３３の後端部は延出されて蓋体３の一部を構成している。
【００１８】
接続筒部１の上縁部１１には、上記蓋体３に付設された係合爪部３１を着脱自在に係止する上部保持部４１が設けられ、接続筒部１の下縁部１２には、上記と同様に係合爪部３１を着脱自在に係止する下部保持部４２が設けられている。符号６はオーバーフロー口であり、後記するように、オーバーフロー口６からオーバーフローした雨水はフィルター体５内に浸透して濾過され、清浄にされた雨水は濾過水取り出し口２１から取り出される。
【００１９】
図１に示すように、本願発明にかかる雨水取水装置Ａを構成する接続筒部１と雨水取出し筒部２とは起立接続部２２で接続され、起立接続部２２の上方に形成されたオーバーフロー口６を介して連通し、一体的に並設される。
【００２０】
図２は、縦樋上筒部７１と縦樋下筒部７２との間に介装された本願発明にかかる雨水取水装置Ａを示す外観斜視図である。図３は、図２におけるＸ−Ｘ線に沿う断面図である。
【００２１】
図３に示されるように、上記接続筒部１内には、内筒部１３が設けられ、この内筒部１３の下部は接続筒部１の内周面に連接され底面１４を形成している。このようにすることによって、上記縦樋上筒部７１の内周面に沿って流下する雨水は内筒部１３と接続筒部１の内周面と底面１４との間に形成された空間に集水され、内筒部１３の中央部を流下する雨水はそのまま排出される。
【００２２】
上記した集水空間に集水され、溢れた雨水は接続筒部１と雨水取出し筒部２とを接続する起立接続部２２を越え、オーバーフロー口６からフィルター５内に浸透して濾過される。濾過され、清浄にされた雨水は濾過水取り出し口２１から接続手段を介して、あるいは、直接、ポリタンクや貯水タンクに導かれ、貯水される。
【００２３】
上記フィルター体５は、不織布または、合成樹脂を繊維状に成形して絡み合わせたもの等、公知の濾過材をブロック状としたものが用いられるが、長期間に亘って使用した場合、ゴミや落ち葉等によって目詰まりが生じたり、経年劣化によって濾過能力が低下することがある。このとき、例えば、濾過水取り出し口２１に塩化ビニル樹脂製管を接続して貯水タンクに取水していた場合等は、濾過された雨水の清浄度を確認できないことがある。そこで、本願発明においては、上記蓋体３を受水部として利用し、濾過水の清浄度を目で確認し、その後、取水することができるように配慮されている。
【００２４】
図４は、上記蓋体３を受水部として利用し、濾過水の清浄度を目で確認する本願発明にかかる雨水取水装置Ａを示す説明図である。すなわち、図４に示すように、蓋体３の係合爪部３１を上記した接続筒部１の下縁部１２に設けられた下部保持部４２に係止させて、濾過水取り出し口２１から流出する濾過水を受ける。このとき、雨水の清浄度を直接目で確認することができるため、例えば、庭への散水や道路への打ち水等、多少ゴミや落ち葉等が混入していても使用に差し支えない場合は、矢印で示すように、切欠部３２から流下する濾過水をポリタンク等に受けて上記用途等に使用する。風呂等の生活用水、洗車等、そのまま使用するには不適切な用途には、別途、二次濾過等の後処理を加えて使用すればよい。
【００２５】
フィルター体５に目詰まりが生じると濾過された雨水の流出量が減少する等の現象がみられるため、フィルター体５の取り替えが必要となる。この場合は、雨水取出し筒部２の上部開口部より適宜、フィルター体５の交換を行えばよい。このとき、フィルター体５を公知の濾過材をブロック状に成形したカートリッジタイプとすることにより、交換を容易に行うことができる。また、カートリッジタイプとしたフィルター体５の下面に止水用リングパッキンを周設してもよい。このようにすることにより、オーバーフロー部６からの雨水がフィルター体５をバイパスして濾過されないまま、濾過水取り出し口２１から流下することを防げる。
【００２６】
また、雨水取出し筒部２の一部、例えば、側面を透明部材から構成することにより、フィルター体５の汚れや、夾雑物の存在状態を目視できるため、メンテナンスを容易に行うことができる。このように本願発明は種々、設計変更自在であり、特許請求の範囲を逸脱しない限り、本願発明の技術的範囲に属する。
【図面の簡単な説明】
【００２７】
【図１】本願発明にかかる雨水取水装置を示す分解斜視図。
【図２】縦樋の間に介装された本願発明にかかる雨水取水装置を示す外観斜視図。
【図３】図２におけるＸ−Ｘ線に沿う断面図。
【図４】上記蓋体を受水部として利用し、濾過水の清浄度を目で確認する本願発明にかかる雨水取水装置を示す説明図。
【図５】公知の雨水取水継手を示す分解斜視図。
【符号の説明】
【００２８】
Ａ      本願発明にかかる雨水取水装置
１      接続筒部
１１    上縁部
１２    下縁部
１３    内筒部
１４    底面
２      雨水取出し筒部
２１    濾過水取り出し口
２２    起立接続部
３      蓋体
３１    係合爪部
３２    切欠部
３３    底面板
３４    リブ
４１    上部保持部
４２    下部保持部
５      フィルター体
６      オーバーフロー口
７１    縦樋上筒部
７２    縦樋下筒部
Ｂ      公知の雨水取水継手における本体
１ａ    上筒部
２ａ    下筒部
３ａ    開口部
４ａ    取水板
【図１】
2009102930.tif 000003
【図２】
2009102930.tif 000004
【図３】
2009102930.tif 000005
【図４】
2009102930.tif 000006
【図５】
2009102930.tif 000007